(57)【要約】【課題】 エレベータの手動運転中に何らかの電源異常が発生して無停電電源に切換えられた場合、作業者がこれに気付かすに手動運転を継続していると、バッテリーを無駄に消費し残量が低下してしまい、実際に非常電源による救出運転が必要となったときに、バッテリー残量が不足していて救出運転が行えないといった事態の発生を防止する。【解決手段】停電等の電源異常発生時、商用電源から無停電電源に切換えて電力を供給し、エレベータの運転を継続するようにしたものにおいて、手動運転時に電源異常が発生した場合、前記無停電電源から電力を供給している間は警告音の発生を継続する報知手段を備えた。【選択図】        図１
2010006556.tif 000002
【特許請求の範囲】
【請求項１】
停電等の電源異常発生時、商用電源から無停電電源に切換えて電力を供給し、エレベータの運転を継続するようにしたものにおいて、手動運転時に電源異常が発生した場合、前記無停電電源から電力を供給している間は警告音の発生を継続する報知手段を備えたことを特徴とするエレベータの制御装置。
【請求項２】
前記警告音は、約５００Ｈｚのビープ音をデューティ比１／２、周期１秒程度でフリッカー鳴動させることを特徴とする請求項１記載のエレベータの制御装置。
【請求項３】
前記報知装置として、エレベータの音声案内を行う音声合成装置を用いることを特徴とする請求項１または請求項２記載のエレベータの制御装置。
【発明の詳細な説明】
【技術分野】
【０００１】
本発明は、停電等の電源異常発生時、商用電源から無停電電源に切換えて電力を供給し、エレベータの運転を継続するようにしたエレベータの制御装置に係り、特に手動運転時に電源異常が発生した場合に関するものである。
【背景技術】
【０００２】
エレベータの運転中に停電等の電源異常が発生すると、かごは階床と階床の間で停止してしまい、乗客はかごの中で缶詰状態になってしまう。これを防止するため、エレベータの運転中に停電等の電源異常が発生すると、商用電源からバッテリー等で構成された無停電電源に切換え、この無停電電源によりかごを最寄階等まで運転して、かご内の乗客を救出する停電時管制運転が行われている（例えば特許文献１参照）。
【０００３】
【特許文献１】特開２００２−１５４７５９公報
【発明の開示】
【発明が解決しようとする課題】
【０００４】
上記特許文献１のように、エレベータの運転中に停電等の電源異常が発生すると、商用電源からバッテリー等で構成された無停電電源に切換えるようにしたものでは、エレベータの手動運転中に何らかの電源異常が発生した場合にも、同様に無停電電源に切換えられ、引き続き手動運転の継続が可能である。このため、作業者がこれに気付かずに手動運転を継続していると、バッテリーを無駄に消費しその残量が低下してしまうこととなり、その後実際に無停電電源による救出運転が必要となったときに、バッテリー残量が不足していて救出運転が行えないといった事態が発生するおそれがある。
【０００５】
本発明は、上記の問題点に鑑みなされたもので、手動運転中に作業者が電源異常の発生に気付かず、その結果無停電電源の電力を無駄に消費してしまうといったことのないエレベータの制御装置を提供することを目的としたものである。
【課題を解決するための手段】
【０００６】
本発明に係るエレベータの制御装置は、停電等の電源異常発生時、商用電源から無停電電源に切換えて電力を供給し、エレベータの運転を継続するようにしたものにおいて、手動運転時に電源異常が発生した場合、前記無停電電源から電力を供給している間は警告音の発生を継続する報知手段とを備えたことを特徴とするものである。
また本発明は、前記警告音を約５００Ｈｚのビープ音とし、デューティ比１／２、周期１秒程度でフリッカー鳴動させるようにしたものである。
【発明の効果】
【０００７】
本発明によれば、作業者が手動でエレベータを運転中に何らかの電源異常が発生した場合、警告音の発生により作業者にその旨が報知されるため、作業者は商用電源が復旧するまで手動運転を一時見合わせるなどして、無停電電源の無駄な消費を防止することができる。また、特定のビープ音を採用することにより、作業者への認識性を高めるとともに、外部の通行人等には不快感を低減することが可能となる。
【発明を実施するための最良の形態】
【０００８】
実施の形態１．
以下、本発明の一実施形態を図１及び図２に基づいて説明する。
図１は本発明の実施の形態１におけるエレベータの制御装置の全体構成を示す図、図２は本発明の実施の形態１におけるエレベータの制御装置の制御動作を示すフローチャートである。
【０００９】
図１において、１は商用電源、２はバッテリー等で構成された無停電電源、３は電源異常発生時に電源を切換える電源切換回路、４は停電等、電源に何らかの異常が発生したことを検出する電源異常検出回路、５は電動機の制御を行う制御回路、６はエレベータの種々の運転制御を行うエレベータ制御回路、７は電動機、８は電動機7で駆動されるシーブ、９はシーブ８で駆動される主ロープ、１０は主ロープ９の一端に吊り下げられたエレベータのかご、１１は主ロープの他端に吊り下げられた釣合いおもり、１２はかご内への音声案内や電子ブザー音等を合成する音声合成装置とスピーカ等からなる報知装置、１３はかご操作盤、１４はかご内で行先階を登録するためのかご呼び釦、１５は保守点検等に必要な各種スイッチを内側に収納し、通常は施錠されているスイッチカバー、１６はスイッチカバー１５の内側に収納されている自動運転と手動運転とを切換えるための運転切換えスイッチである。
【００１０】
以上の構成において、次に本発明に係るエレベータの制御装置の制御動作について、図２のフローチャートを用いて説明する。
【００１１】
まずステップＳ１で電源異常の発生の有無が判定される。停電等、電源に何らかの異常が発生すると、電源異常検出回路４でこれが検出され、電源切換え回路３により商用電源１から無停電電源２に切換えられる（ステップＳ２）。
【００１２】
次にステップＳ３で手動運転中であるか否かが判定される。ここで作業者が保守点検のために運転切換えスイッチ１６を操作し手動運転中であった場合は、ステップＳ４でエレベータ制御回路６から報知指令が発せられ、警告音として電子ブザー音が報知装置１２より出力される（ステップＳ５）。
【００１３】
この警告音としては、例えば５００Ｈｚのビープ音とし、デューティ比１／２、周期１．０秒にてフリッカー鳴動させるものとする。ここで５００ＨｚのＢＥＥＰ音としたのは、この周波数であれば聴覚に障害があっても聞き取りやすい波長であり、また聞いた感じがマイルドな音であるため、作業者だけでなく、エレベータ近辺の通行人等一般の人々にも過度な不快感を与えずに報知することができるからである。また、フリッカー鳴動にしたのは、連続鳴動とするよりも認識性が高くなる効果があることによるものである。
【００１４】
次に、ステップＳ６では電源異常が復旧したか否かを判定し、復旧した場合はエレベータ制御回路６から報知停止指令が出力され（ステップＳ９）、ブザーの鳴動を停止するとともに、電源が無停電電源２から商用電源１に切換えられてこのフローを終了するが、電源異常がまだ復旧していない場合はステップＳ６からステップＳ７へと進み、手動運転を解除したか否かを判定する。
【００１５】
手動運転が解除されていない場合はステップＳ４へと戻り、手動運転が解除されるまで（手動運転の解除に限らず、エレベータの走行を不可とする操作がなされるまで）電子ブザー音の発生を継続する（ステップＳ４〜Ｓ７）。そして、作業者がこの警告音に気付いて手動運転を解除すると、エレベータ制御回路６から報知停止指令が出力され（ステップＳ８）、電子ブザー音の鳴動を停止してこのフローを終了する。
【００１６】
この後、作業者は電源が復旧するまでは極力手動運転による無停電電源の消費を避け、バッテリー残量の低下を防止する。
【００１７】
一方、自動運転中に電源異常が発生した場合はステップＳ３からステップＳ１１へと進み、停電時管制運転が実行される。このとき警告音は発生しないが、管制運転時の音声案内が行われるので特に支障はない。その後すべての乗客の救出を終え、管制運転を終了したか否かをステップＳ１２で判定し、更にステップＳ１３で電源異常が復旧したか否かを判定し、復旧していればステップS１０で電源が無停電電源から商用電源へと切換えられるが、まだ復旧していない場合はステップS１４へと進み、エレベータの運転を休止してこのフローを終了する。
以上の如く、本発明によれば、手動運転中に電源異常が発生して無停電電源に切換えられた場合は警告音を発生し、作業者がこれに気付いて手動運転のモードを解除するまでは警告音を継続的に発生させるようにしたので、作業員が無停電電源の切換えに気付かずに手動運転を継続しバッテリーを無駄に消費してしまう、といった事態の発生を確実に防止することが出来る。
【００１８】
その他の実施形態
上記の実施形態では、ビープ音のフリッカー鳴動による報知としたが、勿論これに限られるものではなく、また音声合成装置を用いることなく専用のブザー等であってもよい。
【００１９】
また、上記の実施形態では、報知装置をかご内に設けたが、これに限らす、エレベータの機械室など、必要に応じて任意の場所に設置することができる。
【００２０】
その他、本発明は上記の実施形態に限定されるものではなく、本発明の要旨を逸脱しない範囲で、種々の改変を施すことができる。
【図面の簡単な説明】
【００２１】
【図１】本発明の実施の形態１におけるエレベータの制御装置の全体構成を示す図である。
【図２】本発明の実施の形態１におけるエレベータの制御装置の制御動作を示すフローチャートである。
【符号の説明】
【００２２】
１  商用電源
２  無停電電源
３  電源切換回路
４  電源異常検出回路
５  電動機制御回路
６  エレベータ制御回路
７  巻上機
８  駆動シーブ
９  かご
１２  報知装置
１３  かご操作盤
１５  スイッチカバー
１６  運転切換スイッチ
【図１】
2010006556.tif 000003
【図２】
2010006556.tif 000004